(57)【要約】【課題】  本発明は、蛍光灯型ＬＥＤランプを提供するものである。【解決手段】  本発明の蛍光灯型ＬＥＤランプは、一方向に長く形成されるＬＥＤモジュール；ＬＥＤモジュールを取り囲み、両端部に各々端子キャップが挿入される光透過性カバー；及び、光透過性カバーの両端部と端子キャップとの間に各々介在する弾性部材；を含むことを特徴とする。本発明によれば、ＬＥＤモジュールの熱によって光透過性カバーが膨張しても光透過性カバーが歪んだり変形したりせず、ＬＥＤモジュール、光透過性カバー及び端子キャップ間の結合力が堅固に維持されるようになされる蛍光灯型ＬＥＤランプを提供することができるようになる。【選択図】図１
2017500716.tif 000002
【特許請求の範囲】
【請求項１】
一方向に長く形成されるＬＥＤモジュールと、
前記ＬＥＤモジュールを取り囲み、両端部に各々端子キャップが挿入される光透過性カバーと、
前記光透過性カバーの両端部と前記端子キャップとの間に各々介在する弾性部材と
を含むことを特徴とする蛍光灯型ＬＥＤランプ。
【請求項２】
前記弾性部材は、
環形に形成され前記端子キャップの外周面に結合され、前記光透過性カバーの両端部に挿入結合される挿入部、及び前記挿入部と段差を形成し前記光透過性カバーの端に密着する仕上げ部を含み、
前記ＬＥＤモジュールの熱によって前記光透過性カバーが膨張する時、前記仕上げ部が弾性変形しながら前記光透過性カバーの変形が防止されることを特徴とする、請求項１に記載の蛍光灯型ＬＥＤランプ。
【請求項３】
前記ＬＥＤモジュールが結合される放熱板を更に含み、
前記端子キャップは前記放熱板の両端部に各々結合されることを特徴とする、請求項２に記載の蛍光灯型ＬＥＤランプ。
【請求項４】
前記端子キャップの外周面には前記弾性部材が円周方向に沿って結合される段差溝が形成されることを特徴とする、請求項３に記載の蛍光灯型ＬＥＤランプ。
【請求項５】
前記放熱板の下面には放熱フィンが前記放熱板の長手方向に形成され、
前記端子キャップには前記放熱フィンの形状に対応する挿入溝が形成されることを特徴とする、請求項３に記載の蛍光灯型ＬＥＤランプ。
【請求項６】
前記放熱板は、
前記光透過性カバーの歪みが防止されるように、前記光透過性カバーに摺動可能に結合されることを特徴とする、請求項３に記載の蛍光灯型ＬＥＤランプ。
【請求項７】
前記ＬＥＤモジュールは、前記放熱板に摺動可能に結合されることを特徴とする、請求項６に記載の蛍光灯型ＬＥＤランプ。
【請求項８】
前記弾性部材は、前記光透過性カバーよりも熱膨張係数が大きい材質で形成され、
前記ＬＥＤモジュールの熱によって前記光透過性カバーが膨張する時に前記挿入部が共に膨張して前記端子キャップと前記光透過性カバーとの間の結合力が維持されることを特徴とする、請求項２に記載の蛍光灯型ＬＥＤランプ。
【請求項９】
前記弾性部材は、前記端子キャップと二重射出によって結合されることを特徴とする、請求項１に記載の蛍光灯型ＬＥＤランプ。
【発明の詳細な説明】
【技術分野】
【０００１】
本発明は、蛍光灯型ＬＥＤランプ（FLORESCENT TYPE LIGHT EMITTING DIODE LAMP）に関し、より詳しくは、ＬＥＤの熱によって長時間加熱されても内部構成間の結合力が維持されるようになされる蛍光灯型ＬＥＤランプに関する。
【背景技術】
【０００２】
ＬＥＤ（Light Emitting Diode）は、ガリウム砒素などの化合物に電流を流して光を発散する半導体素子であり、ｍ半導体のｐｎ接合構造を用いて少数キャリア（電子または正孔）を注入し、これらの再結合によって発光させる。ＬＥＤは、コンピュータ本体でハードディスクが作動する時に点滅する小さな灯り、都心のビルの上に設けられた大型電光板、テレビリモコンのボタンを押す度にテレビ本体に信号を送る目に見えない光線などを作る時に必要である。
【０００３】
ＬＥＤは、電気エネルギーを光エネルギーに切り替える効率が高いため最高９０％までエネルギーを節減することができ、エネルギー効率が５％程度でしかない蛍光灯を代替できる次世代光源として注目されている。
【０００４】
これに関連して、韓国登録特許公報第１０−０８６６５８６号にはＬＥＤを用いた蛍光灯が開示されており、韓国登録特許公報第１０−０８６６５８６号は、半球状のベースと、そしてベース両端に内向し折曲形成された延長部を含んでなる本体；本体のベース内側に長手方向に沿って形成され、放熱面積を広げて放熱効率を高めるための放熱羽根部；ベースの延長部に載せられるプレートと、そしてプレート両側に連結された収容突起を含んでなる固定部；固定部の収容突起間に装着され、多数のＬＥＤが実装されたＰＣＢ基板からなるＬＥＤモジュール；本体を覆い半球状に形成され、上部中心よりも両側部の厚さが相対的に薄く形成されて、両側部に放射される光の透過量を高めてＬＥＤモジュールから照射される光の指向角を拡張させるキャップ；本体の上端部には挿入部が形成され、キャップの下端部には挿入部に結合される対応挿入部が形成され、本体とキャップの着脱時に挿入部と対応挿入部が弾性を発揮して着脱されることにより、本体とキャップの結合及び分離容易性を保障する着脱手段；及び、本体とキャップの結合後に両端を固定結合する固定カバー；を含んでなることを特徴とする。
【０００５】
韓国登録特許公報第１０−０８６６５８６号は、ＬＥＤモジュールから発生する熱を効率的に放出するために本体のベース内側に長手方向に沿って多数形成された放熱羽根部が放熱面積を広げて放熱効率を高めることにより、過熱による照明灯の損傷を防ぎ、また火災発生の危険を未然に防止することができ、本体とキャップの結合及び分離時に弾性によって結合分離される着脱手段が備えられることにより、蛍光灯の故障及び修理時に本体とキャップを迅速且つ簡便に分離及び結合することができるという利点がある。
【０００６】
しかし、韓国登録特許公報第１０−０８６６５８６号を含む従来の蛍光灯型ＬＥＤランプは、合成樹脂材質からなるキャップの熱膨張係数と鉄またはアルミニウムからなる本体の熱膨張係数との差により、ＬＥＤモジュールから発生する熱によって本体及びキャップの温度が上昇する場合、キャップに歪みが発生することになり、またＬＥＤランプを長時間使用することになれば、上述のような問題により本体とキャップとの間の結合力またはキャップと固定カバーとの間の結合力が減少するという問題点があった。
【０００７】
また、本体、キャップ及び固定カバーの堅固な結合力を形成するために固定カバーと本体が互いに螺合されて、熱膨張によるキャップの長手方向及び半径方向伸長時にキャップの両端が固定カバーによって阻まれることになるため、熱膨張によるキャップの歪みがひどくなるという短所がある。
【先行技術文献】
【特許文献】
【０００８】
【特許文献１】韓国登録特許公報第１０−０８６６５８６号（登録日：２００８．１０．２８）
【発明の概要】
【発明が解決しようとする課題】
【０００９】
本発明の目的は、ＬＥＤモジュールの熱によって光透過性カバーが膨張しても光透過性カバーが歪んだり変形したりせず、ＬＥＤモジュール、光透過性カバー及び端子キャップ間の結合力が堅固に維持されるようになされる蛍光灯型ＬＥＤランプを提供することにある。
【課題を解決するための手段】
【００１０】
上記目的は、本発明に従って、一方向に長く形成されるＬＥＤモジュール；上記ＬＥＤモジュールを取り囲み、両端部に各々端子キャップが挿入される光透過性カバー；及び、上記光透過性カバーの両端部と上記端子キャップとの間に各々介在する弾性部材；を含むことを特徴とする蛍光灯型ＬＥＤランプによって達成される。
【００１１】
上記弾性部材は、環形に形成され上記端子キャップの外周面に結合され、上記光透過性カバーの両端部に挿入結合される挿入部、及び上記挿入部と段差を形成し上記光透過性カバーの端に密着する仕上げ部を含み、上記ＬＥＤモジュールの熱によって上記光透過性カバーが膨張する時、上記仕上げ部が弾性変形しながら上記光透過性カバーの変形が防止されることができる。
【００１２】
上記ＬＥＤモジュールが結合される放熱板を更に含み、上記端子キャップは上記放熱板の両端部に各々結合されることができる。
【００１３】
上記端子キャップの外周面には上記弾性部材が円周方向に沿って結合される段差溝が形成されることができる。
【００１４】
上記放熱板の下面には放熱フィンが上記放熱板の長手方向に形成され、上記端子キャップには上記放熱フィンの形状に対応する挿入溝が形成されることができる。
【００１５】
上記放熱板は、上記光透過性カバーの歪みが防止されるように、上記光透過性カバーに摺動可能に結合されることができる。
【００１６】
上記ＬＥＤモジュールは、上記放熱板に摺動可能に結合されることができる。
【００１７】
上記弾性部材は、上記光透過性カバーよりも熱膨張係数が大きい材質で形成され、上記ＬＥＤモジュールの熱によって上記光透過性カバーが膨張する時に上記挿入部が共に膨張して上記端子キャップと上記光透過性カバーとの間の結合力が維持されることができる。
【００１８】
上記弾性部材は、上記端子キャップと二重射出によって結合されることができる。
【発明の効果】
【００１９】
本発明によれば、一方向に長く形成されるＬＥＤモジュール；ＬＥＤモジュールを取り囲み、両端部に各々端子キャップが挿入される光透過性カバー；及び、光透過性カバーの両端部と端子キャップとの間に各々介在する弾性部材；を含んで構成されることにより、ＬＥＤモジュールの熱によって光透過性カバーが膨張しても光透過性カバーが歪んだり変形したりせず、ＬＥＤモジュール、光透過性カバー及び端子キャップ間の結合力が堅固に維持されるようになされる蛍光灯型ＬＥＤランプを提供することができるようになる。
【００２０】
また、ＬＥＤモジュールが放熱板と接触を維持した状態で長手方向に沿って移動可能に結合されることにより、ＬＥＤモジュールの熱膨張によるＬＥＤモジュールの歪みが防止されるという利点がある。
【００２１】
また、光透過性カバーの長手方向に沿って放熱板が摺動可能に結合されることにより、光透過性カバーの長手方向に沿って放熱板との結合部位が一定に維持され、よって光透過性カバーの歪みを抑制することになる。
【００２２】
また、端子キャップには放熱フィンの形状に対応する挿入溝が形成され、よって放熱フィンが挿入溝内で端子キャップの内面と広い接触面積を形成した状態で密着することにより、端子キャップの離脱や結合部の破損が大幅に抑制されるという利点がある。
【００２３】
また、放熱板が挿入溝内で端子キャップの内面と広い接触面積を形成して放熱板の熱が挿入溝を通して端子キャップ側に早く伝達されることにより、従来のＬＥＤランプよりも光透過性カバーに伝達される熱量が顕著に減少することになるという利点がある。
【００２４】
また、端子キャップと光透過性カバーとの間に弾性部材が介在することにより、光透過性カバーが放熱板よりも長手方向に更に伸長しても仕上げ部が弾性的に圧縮されながら光透過性カバーの変形を防止するという利点がある。
【００２５】
更に、弾性部材は光透過性カバーよりも熱膨張係数が大きい材質で形成されて、光透過性カバーが膨張する時に挿入部が共に膨張することにより、光透過性カバーの内周面と挿入部が密着した状態を維持することになり、これによって端子キャップと光透過性カバーとの間の結合力が維持されるという利点がある。
【図面の簡単な説明】
【００２６】
【図１】本発明の一実施形態による蛍光灯型ＬＥＤランプの結合構成を示す斜視図である。
【図２】図１の蛍光灯型ＬＥＤランプの全体構成を示す斜視図である。
【図３ａ】図１の蛍光灯型ＬＥＤランプの第２端子キャップ、放熱板及び光透過性カバーの結合構造を示す部分拡大図である。
【図３ｂ】図１の蛍光灯型ＬＥＤランプの第２端子キャップ、放熱板及び光透過性カバーの結合構造を示す部分拡大図である。
【図４ａ】図１の蛍光灯型ＬＥＤランプの第２端子キャップと放熱板との結合状態を示す部分拡大図である。
【図４ｂ】図１の蛍光灯型ＬＥＤランプの第２端子キャップと放熱板との結合状態を示す部分拡大図である。
【図５ａ】図１の蛍光灯型ＬＥＤランプの第２端子キャップの断面図である。
【図５ｂ】図１の蛍光灯型ＬＥＤランプの放熱板の断面図である。
【発明を実施するための形態】
【００２７】
以下、添付図面を参照して本発明の望ましい実施形態を詳しく説明すれば次の通りである。但し、本発明を説明するにあたって、既に公知となっている機能或いは構成に関する説明は、本発明の要旨を明瞭にするために省略することにする。
【００２８】
本発明の蛍光灯型ＬＥＤランプは、ＬＥＤモジュールの熱によって光透過性カバーが膨張しても光透過性カバーが歪んだり変形したりせず、ＬＥＤモジュール、光透過性カバー及び端子キャップ間の結合力が堅固に維持されるようになされる。
【００２９】
図１は、本発明の一実施形態による蛍光灯型ＬＥＤランプの結合構成を示す斜視図であり、図２は、図１の蛍光灯型ＬＥＤランプの全体構成を示す斜視図であり、図３ａ及び図３ｂは、図１の蛍光灯型ＬＥＤランプの第２端子キャップ、放熱板及び光透過性カバーの結合構造を示す部分拡大図であり、図４ａ及び図４ｂは、図１の蛍光灯型ＬＥＤランプの第２端子キャップと放熱板との結合状態を示す部分拡大図であり、図５ａ及び図５ｂは、図１の蛍光灯型ＬＥＤランプの第２端子キャップ及び放熱板の断面図である。
【００３０】
図１及び図２に示されているように、本発明の一実施形態による蛍光灯型ＬＥＤランプ１は、ＬＥＤ１１の熱によって長期間加熱されても内部構成間の結合力が維持されるようになされ、ＬＥＤモジュール１０、放熱板２０、光透過性カバー３０、端子キャップ４０及び弾性部材５０を含んで構成される。以下、理解し易くするために、図示された状態で上下を区分して説明することにする。
【００３１】
ＬＥＤモジュール１０は、蛍光灯型ＬＥＤランプ１の特性上一方向に長い形態に形成される。ＬＥＤモジュール１０の基板１２には長手方向に沿って多数のＬＥＤ１１が結合される。ＬＥＤモジュール１０は熱を迅速に放出させるために放熱板２０と結合される。
【００３２】
放熱板２０は、ＬＥＤモジュール１０の熱を迅速に放出させるための構成であり、その上面が基板１２の裏面と密着した状態で結合される。
【００３３】
図５ｂに示されているように、ＬＥＤモジュール１０は放熱板２０に摺動可能に結合される。放熱板２０の上面にはＬＥＤモジュール１０が摺動可能に結合される一対のレール２１が形成される。
【００３４】
これは、第一に、ＬＥＤランプ１の生産時及びＬＥＤランプ１の使用途中におけるＬＥＤモジュール１０の故障時に、ＬＥＤモジュール１０の結合及び分離を容易にするためである。
【００３５】
従来のＬＥＤランプは、ＬＥＤモジュールと放熱板が固定された状態で生産されることにより、生産過程でＬＥＤランプと放熱板を互いに固定しなければならない手間があり、これにより生産時間及び消耗品費用が増加するという短所があった。
【００３６】
ＬＥＤモジュール１０が放熱板２０に摺動可能に結合される理由は、第二に、ＬＥＤモジュール１０の熱変形時の歪みを防止するためである。
【００３７】
合成樹脂からなるＬＥＤモジュール１０の基板１２は、金属からなる放熱板２０よりも熱膨張率が高いため、ＬＥＤモジュール１０が放熱板２０に固定されると、使用中に熱膨張率の差により結合部位にせん断応力が発生するという問題があった。これにより、使用時間が長くなると、ＬＥＤモジュール１０と放熱板２０との結合力が減少したり、放熱板２０に結合された状態でＬＥＤモジュール１０が歪んだりする。
【００３８】
本発明のＬＥＤランプ１は、ＬＥＤモジュール１０が放熱板２０と接触を維持した状態で長手方向に沿って移動可能であることにより、熱膨張により結合力が減少したり歪んだりする現象が防止されるという利点がある。
【００３９】
図５ｂに示されているように、放熱板２０の下面には放熱フィン２２が放熱板２０の長手方向に沿って形成される。放熱フィン２２は、空気と接触する放熱板２０の底面の面積を増加させることにより、ＬＥＤモジュール１０の熱を空気中に早く放熱する。
【００４０】
図１及び図２に示されているように、光透過性カバー３０は、ＬＥＤモジュール１０を外部異物及び衝撃から保護し、ＬＥＤ１１の光を周囲に拡散させたり照度及び輝度を調整するための構成であり、チューブ形態に形成されてＬＥＤモジュール１０を取り囲む。
【００４１】
図２を参照すると、放熱板２０は、光透過性カバー３０に摺動可能に結合される。光透過性カバー３０の内周面には長手方向に沿って基板１２の両側が摺動可能に結合されるガイド溝３１が形成される。放熱板２０が光透過性カバー３０の内側に摺動可能に結合されると、光透過性カバー３０の熱変形時に光透過性カバー３０の歪みが防止されるという利点がある。
【００４２】
放熱板２０が光透過性カバー３０と固定されるように結合されると、合成樹脂からなる光透過性カバー３０は、金属からなる放熱板２０よりも熱膨張率が高いため、使用中に熱膨張率の差によって結合部位にせん断応力が発生することになり、使用時間が長くなると光透過性カバー３０と放熱板２０との結合力が減少する。
【００４３】
従来の光透過性カバーは、ＬＥＤの光が直接照射される部位に熱膨張が集中するため、温度差による熱応力によって歪みが発生するという問題があった。本発明のＬＥＤランプ１は、光透過性カバー３０の長手方向に沿って放熱板２０が摺動可能に結合されるため、光透過性カバー３０の長手方向に沿って放熱板２０との結合部位が一定に維持されることにより、光透過性カバー３０の歪みを抑制する。
【００４４】
図１及び図２に示されているように、光透過性カバー３０の両端部には各々端子キャップ４０が挿入される。端子キャップ４０は、蛍光灯のソケットに結合される端子Ｐが備えられ、光透過性カバー３０の両側開口を塞ぐ構成であり、端子キャップ４０の端子Ｐは光透過性カバー３０の内部でＬＥＤモジュール１０の基板１２と電気的に連結される。
【００４５】
図１に示されているように、端子キャップ４０は、光透過性カバー３０の両端部に挿入された状態で放熱板２０の両端部に各々固定結合される。一対の端子キャップ４０は、放熱板２０によって相互間の相対距離が固定され、放熱板２０との相対回転や光透過性カバー３０からの離脱が防止される。
【００４６】
図５に示されているように、放熱板２０の両端部には結合溝２２ａが形成されて端子キャップ４０とボルトＢで結合される。結合溝２２ａは、放熱フィン２２の間に形成されることが望ましい。
【００４７】
図３ａ乃至図５ｂに示されているように、端子キャップ４０には放熱フィン２２の形状に対応する挿入溝４２が形成される。放熱板２０の両端部が各々端子キャップ４０の挿入溝４２に挿入されると、放熱フィン２２は挿入溝４２内で端子キャップ４０の内面と広い接触面積を形成した状態で密着することにより、従来の蛍光灯型ＬＥＤランプ１に比べて端子キャップ４０の離脱や結合部の破損が大幅に抑制される利点がある。
【００４８】
また、放熱板２０が挿入溝４２内で端子キャップ４０の内面と広い接触面積を形成することになれば、放熱板２０の熱が挿入溝４２を通して端子キャップ４０側に早く伝達されて、従来のＬＥＤランプ１よりも光透過性カバー３０に伝達される熱量が減少することになる利点がある。
【００４９】
図３ａ乃至図４ｂに示されているように、端子キャップ４０の外周面には環状の弾性部材５０が結合される。弾性部材５０は、端子キャップ４０が光透過性カバー３０の両端部に挿入されると端子キャップ４０と光透過性カバー３０との間に介在する構成であり、ゴム、シリコーン、軟質の合成樹脂など、熱に強く且つ弾性を有する材質からなる。
【００５０】
弾性部材５０は、挿入部５１及び仕上げ部５２を含んでなる。挿入部５１は、光透過性カバー３０に端子キャップ４０が挿入されるときに光透過性カバー３０の内周面に密着する部分であり、仕上げ部５２は、挿入部５１が挿入された後に光透過性カバー３０の端に密着する部分である。
【００５１】
挿入部５１と仕上げ部５２は段差を形成する。挿入部５１の外径は光透過性カバー３０の内径よりも大きく形成され、仕上げ部５２の外径は光透過性カバー３０の外径と同一であるか大きく形成される。望ましくは、ＬＥＤランプ１の外周面が屈曲なしに滑らかな形態をなすように、仕上げ部５２、端子キャップ４０及び光透過性カバー３０の外径は同一に形成される。
【００５２】
図４ａに示されているように、端子キャップ４０の外周面には弾性部材５０が円周方向に沿って結合される段差溝４１が形成される。弾性部材５０が段差溝４１の外周面に結合されると、仕上げ部５２の端部は段差溝４１の段差壁４１ａに密着する。
【００５３】
一対の端子キャップ４０は、放熱板２０の両端部に固定結合されて相互間の距離が放熱板２０によって維持され、光透過性カバー３０は一対の端子キャップ４０の間で弾性部材５０と接触する。
【００５４】
本発明のＬＥＤランプ１は、使用時、ＬＥＤ１１の熱が持続的に発生する装置であり、ＬＥＤ１１の熱は、ＬＥＤ１１の光によって光透過性カバー３０が加熱される輻射熱と、基板１２から放熱板２０に伝達される伝導熱とに区分される。
【００５５】
熱膨張係数は、金属材の放熱板２０が最も小さく、ＰＶＣ（Poly Vinyl Chloride）  など合成樹脂からなる光透過性カバー３０が最も大きい。ＬＥＤモジュール１０、放熱板２０及び光透過性カバー３０は、ＬＥＤ１１の輻射熱及び伝導熱によってＬＥＤランプ１の使用前後に膨張及び収縮することになり、これは光透過性カバー３０の変形及び歪みを引き起こす。
【００５６】
本発明のＬＥＤランプ１において、光透過性カバー３０は、（熱膨張率の小さい放熱板２０によって間隔を設ける）一対の端子キャップ４０と両端部が接触するが、端子キャップ４０と光透過性カバー３０との間に弾性部材５０が介在することにより、光透過性カバー３０が放熱板２０よりも長手方向に更に伸長しても、仕上げ部５２が弾性的に圧縮されながら光透過性カバー３０の変形を防止する利点がある。
【００５７】
また、弾性部材５０は、ゴム、シリコーンなど光透過性カバー３０よりも熱膨張係数が大きい材質で形成されることにより、光透過性カバー３０が膨張する時に挿入部５１が共に膨張して光透過性カバー３０の内周面と挿入部５１が密着した状態を維持するようになり、これによって端子キャップ４０と光透過性カバー３０との間の結合力が維持されるという利点がある。
【００５８】
弾性部材５０は、端子キャップ４０と光透過性カバー３０との間で圧縮力を受ける状態で光透過性カバー３０の熱が伝達される構成であるため、端子キャップ４０との結合状態が長期間維持できるように弾性部材５０と端子キャップ４０は二重射出によって結合されることが望ましい。
【００５９】
本発明によれば、一方向に長く形成されるＬＥＤモジュール１０；ＬＥＤモジュール１０を取り囲み、両端部に各々端子キャップ４０が挿入される光透過性カバー３０；及び、光透過性カバー３０の両端部と端子キャップ４０との間に各々介在する弾性部材５０；を含んで構成されることにより、ＬＥＤモジュール１０の熱によって光透過性カバー３０が膨張しても光透過性カバー３０が歪んだり変形したりせず、ＬＥＤモジュール１０、光透過性カバー３０及び端子キャップ４０間の結合力が堅固に維持されるようになされる蛍光灯型ＬＥＤランプ１を提供することができる。
【００６０】
以上、本発明の特定の実施形態が説明され図示されているが、本発明は記載の実施形態に限定されるものではなく、本発明の思想及び範囲を逸脱することなく多様に修正及び変形が可能であることは、該当技術分野において通常の知識を有する者にとって自明なことである。したがって、かかる修正例又は変形例は、本発明の技術的思想や観点から個別的に理解されてはならず、変形された実施形態は本発明の特許請求の範囲に属するものとしなければならない。
【符号の説明】
【００６１】
１：ＬＥＤランプ
１０：ＬＥＤモジュール
２０：放熱板
３０：光透過性カバー
４０：端子キャップ
５０：弾性部材
１１：ＬＥＤ
Ｐ：端子
１２：基板
４１：段差溝
２１：レール
４１ａ：段差壁
２２：放熱フィン
４２：挿入溝
３１：ガイド溝
Ｗ：電線
５１：挿入部
５２：仕上げ部
【図１】
2017500716.tif 000003
【図２】
2017500716.tif 000004
【図３ａ】
2017500716.tif 000005
【図３ｂ】
2017500716.tif 000006
【図４ａ】
2017500716.tif 000007
【図４ｂ】
2017500716.tif 000008
【図５ａ】
2017500716.tif 000009
【図５ｂ】
2017500716.tif 000010
【国際調査報告】
2017500716.tif 000011
2017500716.tif 000012
2017500716.tif 000013
2017500716.tif 000014